(57)【要約】      （修正有）【課題】押鍵に伴って回動する鍵を、雑音を発生させることなく、安定して案内することができるとともに、製造コストを低減することができる鍵盤楽器の鍵ガイド構造を提供する。【解決手段】押鍵に伴って回動する鍵３を案内するための鍵盤楽器の鍵ガイド構造であって、各々が上方に開放しかつ左右方向に貫通する取付部を有し、鍵盤シャーシ２において、鍵３ごとにガイド凹部の下側に立設された複数の鍵ガイドホルダ５１と、各々が軟質の合成樹脂から成るとともに鍵３のガイド凹部内の左右方向の横幅とほぼ同じ横幅寸法を有する板状に形成され、複数の鍵ガイドホルダ５１の取付部に上方から差し込まれた状態でそれぞれ取り付けられ、複数の鍵３のガイド凹部の左右の内側面にそれぞれ摺接する複数の鍵ガイド本体５２と、を備えている。【選択図】図３
2015081930.tif 000002
【特許請求の範囲】
【請求項１】
各々が、前後方向に延び、後端部において鍵盤シャーシに回動自在に支持されるとともに、下方に開放するガイド凹部を有する複数の鍵を備えた鍵盤楽器において、押鍵に伴って回動する前記鍵を案内するための鍵盤楽器の鍵ガイド構造であって、
各々が上方に開放しかつ左右方向に貫通する取付部を有し、前記鍵盤シャーシにおいて、前記鍵ごとに前記ガイド凹部の下側に立設された複数の鍵ガイドホルダと、
各々が軟質の合成樹脂から成るとともに前記鍵の前記ガイド凹部内の左右方向の横幅とほぼ同じ横幅寸法を有する板状に形成され、前記複数の鍵ガイドホルダの前記取付部に上方から差し込まれた状態でそれぞれ取り付けられ、前記複数の鍵の前記ガイド凹部の左右の内側面にそれぞれ摺接する複数の鍵ガイド本体と、
を備えていることを特徴とする鍵盤楽器の鍵ガイド構造。
【請求項２】
前記鍵は、
互いに左右方向に所定間隔を隔てた左右の側壁と、
対応する前記側壁から内方に所定距離、離れた位置に、かつ互いに前記鍵ガイド本体の左右方向の横幅とほぼ同じ間隔を隔てて設けられ、前記ガイド凹部の左右の側壁をそれぞれ構成する左右のガイド壁と、
を有していることを特徴とする請求項１に記載の鍵盤楽器の鍵ガイド構造。
【請求項３】
前記鍵ガイド本体の左右の側面には、潤滑剤を保留するための溝が形成されていることを特徴とする請求項１又は２に記載の鍵盤楽器の鍵ガイド構造。
【請求項４】
前記鍵ガイド本体の下端部には、当該鍵ガイド本体が前記取付部に取り付けられたときに、前記鍵ガイドホルダに抜止め状態で係合する抜止め部が設けられていることを特徴とする請求項１ないし３のいずれかに記載の鍵盤楽器の鍵ガイド構造。
【請求項５】
前記鍵ガイドホルダは、
上下方向に延びる筒状に形成され、前記取付部を有するホルダ本体と、
このホルダ本体の前側及び後ろ側の少なくとも一方に、当該ホルダ本体に連なった状態で前記鍵盤シャーシに立設された補強部と、
を有していることを特徴とする請求項１ないし４のいずれかに記載の鍵盤楽器の鍵ガイド構造。
【請求項６】
前記補強部は、上下方向に延びる筒状に形成されていることを特徴とする請求項５に記載の鍵盤楽器の鍵ガイド構造。
【発明の詳細な説明】
【技術分野】
【０００１】
本発明は、電子ピアノなどの鍵盤楽器に適用され、押鍵に伴って回動する鍵を案内するための鍵盤楽器の鍵ガイド構造に関する。
【背景技術】
【０００２】
従来の鍵盤楽器の鍵ガイド構造として、例えば本出願人がすでに出願した特許文献１に記載されたものが知られている。この鍵ガイド構造を適用した電子ピアノの鍵盤装置は、前後方向に延び、天壁及び左右の側壁から成る逆Ｕ字状の断面を有する複数の鍵と、これらの鍵を左右方向に並んだ状態に保持するとともに、各鍵を後端部において回動自在に支持する鍵盤シャーシとを備えており、この鍵盤シャーシに、回動する鍵を案内する鍵ガイドが鍵ごとに設けられている。また、この鍵盤装置では、鍵及び鍵盤シャーシがいずれも、硬質の合成樹脂から成る成形品によって構成されている。各鍵ガイドは、対応する鍵の前端付近の下側に立設され、鍵の左右の側壁間とほぼ同じ横幅寸法を有する板状に形成されており、その左右の側面には、グリスなどの潤滑剤が塗布されている。
【０００３】
また、従来の他の鍵盤楽器の鍵ガイド構造として、特許文献２に記載されたものも知られている。この鍵ガイドは、上方に突出するように形成されたガイド部材保持部に、ゴム製のガイド部材が装着されることによって構成されている。このガイド部材は、筒状に形成されており、ガイド部材保持部に、これを内側に挿入させた状態で、取り付けられている。
【０００４】
以上のような特許文献１及び２の鍵ガイド構造では、離鍵状態において、鍵ガイドの上端部が鍵の内側に若干入り込んだ状態で係合している。この離鍵状態から、鍵が押鍵されると、鍵ガイドは、鍵の内側に深く入り込むように係合し、鍵が左右方向にぶれないよう、すなわち鍵の横振れを防止しながら、回動する鍵を案内する。
【先行技術文献】
【特許文献】
【０００５】
【特許文献１】特開２０００−１２２６５４号公報
【特許文献２】特開平１１−２９６１６２号公報
【発明の概要】
【発明が解決しようとする課題】
【０００６】
しかし、上述した特許文献１では、鍵および鍵盤シャーシはいずれも、硬質の合成樹脂で構成されているため、電子ピアノの長期間の使用によって鍵ガイドに塗布された潤滑剤が少なくなると、押鍵時に鍵の内面が鍵ガイドに擦れることによる摺動音によって、雑音が発生することがある。また、鍵ガイドに塗布された潤滑剤が多すぎる場合には、その潤滑剤が鍵の外側にはみ出てしまうおそれがある。一方、特許文献２では、ガイド部材が、ガイド部材保持部の周囲を覆う筒状に形成されているため、ガイド部材を構成する材料の使用量が比較的多くなり、そのためコスト高になってしまう。
【０００７】
本発明は、以上のような課題を解決するためになされたものであり、押鍵に伴って回動する鍵を、雑音を発生させることなく、安定して案内することができるとともに、製造コストを低減することができる鍵盤楽器の鍵ガイド構造を提供することを目的とする。
【課題を解決するための手段】
【０００８】
上記の目的を達成するために、請求項１に係る発明は、各々が、前後方向に延び、後端部において鍵盤シャーシに回動自在に支持されるとともに、下方に開放するガイド凹部を有する複数の鍵を備えた鍵盤楽器において、押鍵に伴って回動する鍵を案内するための鍵盤楽器の鍵ガイド構造であって、各々が上方に開放しかつ左右方向に貫通する取付部を有し、鍵盤シャーシにおいて、鍵ごとにガイド凹部の下側に立設された複数の鍵ガイドホルダと、各々が軟質の合成樹脂から成るとともに鍵のガイド凹部内の左右方向の横幅とほぼ同じ横幅寸法を有する板状に形成され、複数の鍵ガイドホルダの取付部に上方から差し込まれた状態でそれぞれ取り付けられ、複数の鍵のガイド凹部の左右の内側面にそれぞれ摺接する複数の鍵ガイド本体と、を備えていることを特徴とする。
【０００９】
この構成によれば、前後方向に延びる複数の鍵は、それぞれ下方に開放するガイド凹部を有しており、後端部において鍵盤シャーシに回動自在に支持されている。また、鍵盤シャーシにおいて、所定の上記取付部を有する複数の鍵ガイドホルダが、鍵ごとに、そのガイド凹部の下側に立設され、それらの鍵ガイドホルダの取付部には、鍵ガイド本体が上方から差し込まれた状態で取り付けられている。各鍵ガイド本体は、鍵のガイド凹部の左右方向の横幅とほぼ同じ横幅寸法を有する板状に形成されており、ガイド凹部の左右の内側面に摺接する。したがって、鍵が押鍵されると、その鍵は、後端部を中心として回動するとともに、ガイド凹部の左右の内側面が鍵ガイド本体の左右の側面に対して摺動しながら案内される。
【００１０】
また、上記の鍵ガイド本体は、軟質の合成樹脂で構成されているので、例えば鍵が硬質の合成樹脂で構成されていて、その鍵のガイド凹部の内側面が鍵ガイド本体に擦れても、その際の摺動音を大幅に低減でき、それにより、雑音を発生させることなく、鍵を安定して案内することができる。また、鍵ガイド本体は、板状に形成されているので、ガイド部材が筒状に形成された従来に比べて、材料としての合成樹脂の使用量を少なくでき、それにより、製造コストの低減を図ることができる。
【００１１】
請求項２に係る発明は、請求項１に記載の鍵盤楽器の鍵ガイド構造において、鍵は、互いに左右方向に所定間隔を隔てた左右の側壁と、対応する側壁から内方に所定距離、離れた位置に、かつ互いに鍵ガイド本体の左右方向の横幅とほぼ同じ間隔を隔てて設けられ、ガイド凹部の左右の側壁をそれぞれ構成する左右のガイド壁と、を有していることを特徴とする。
【００１２】
この構成によれば、互いに左右方向に所定間隔を隔てた左右の側壁を有する鍵において、対応する側壁からそれぞれ内方に所定距離、離れた位置に左右のガイド壁が設けられている。また、これらのガイド壁は、鍵ガイド本体の左右方向の横幅とほぼ同じ間隔を隔てて設けられており、鍵におけるガイド凹部の左右の側壁をそれぞれ構成している。したがって、各ガイド壁を、対応する側壁に対して十分な距離を隔てて設けることにより、例えば、鍵ガイド本体にグリスなどの潤滑剤が比較的多く塗布されている場合でも、その潤滑剤が鍵の外側にはみ出すのを確実に防止することができる。
【００１３】
請求項３に係る発明は、請求項１又は２に記載の鍵盤楽器の鍵ガイド構造において、鍵ガイド本体の左右の側面には、潤滑剤を保留するための溝が形成されていることを特徴とする。
【００１４】
この構成によれば、鍵ガイド本体の左右の側面に潤滑剤を塗布した場合、その潤滑剤の一部が鍵ガイド本体の溝に入り込み、保留される。それにより、鍵ガイド本体の左右の側面に潤滑剤が保持された状態を、長期間にわたって維持することができ、押鍵時における鍵のガイド凹部の側面と鍵ガイド本体の側面との間の潤滑性を確保することができる。
【００１５】
請求項４に係る発明は、請求項１ないし３のいずれかに記載の鍵盤楽器の鍵ガイド構造において、鍵ガイド本体の下端部には、鍵ガイド本体が取付部に取り付けられたときに、鍵ガイドホルダに抜止め状態で係合する抜止め部が設けられていることを特徴とする。
【００１６】
この構成によれば、鍵ガイド本体が、鍵ガイドホルダの取付部に上方から差し込まれることによって取り付けられた状態において、鍵ガイド本体の下端部の抜止め部が鍵ガイドホルダに抜止め状態で係合する。これにより、鍵ガイド本体を鍵ガイドホルダにしっかりと取り付けることができ、押鍵時に鍵のガイド凹部が鍵ガイド本体に摺接しても、鍵ガイド本体が鍵ガイドホルダから脱落することはない。
【００１７】
請求項５に係る発明は、請求項４に記載の鍵盤楽器の鍵ガイド構造において、鍵ガイドホルダは、上下方向に延びる筒状に形成され、取付部を有するホルダ本体と、このホルダ本体の前側及び後ろ側の少なくとも一方に、ホルダ本体に連なった状態で鍵盤シャーシに立設された補強部と、を有していることを特徴とする。
【００１８】
この構成によれば、取付部を有するホルダ本体が上下方向に延びる筒状に形成されており、このホルダ本体に鍵ガイド本体が取り付けられている。また、ホルダ本体の前側及び後ろ側の少なくとも一方に、上記の補強部が設けられているので、この補強部によってホルダ本体を前後方向の荷重に対してしっかりと補強することができ、その結果、ホルダ本体に取り付けられた鍵ガイド本体を、しっかりと保持することができる。
【００１９】
請求項６に係る発明は、請求項５に記載の鍵盤楽器の鍵ガイドにおいて、補強部は、上下方向に延びる筒状に形成されていることを特徴とする。
【００２０】
この構成によれば、鍵ガイドホルダの補強部が上下方向に延びる筒状に形成されているので、ホルダ本体を、前後方向に加えて、左右方向の荷重に対してもしっかりと補強することができ、その結果、ホルダ本体に取り付けられた鍵ガイド本体を、より一層しっかりと保持することができる。
【図面の簡単な説明】
【００２１】
【図１】本発明の一実施形態による鍵ガイド構造を適用した電子ピアノの鍵盤装置（１オクターブ分）を示す斜視図である。
【図２】（ａ）は図１の鍵盤装置の平面図、（ｂ）は（ａ）のｂ−ｂ線で切断したときの図である。
【図３】（ａ）は図１の鍵盤装置の鍵盤シャーシ及び鍵を分解して示す斜視図であり、（ｂ）は鍵盤シャーシの後部の一部を拡大して示す斜視図である。
【図４】白鍵及び黒鍵を示す斜視図である。
【図５】鍵の後部を拡大して示す図であり、（ａ）は平面図、（ｂ）は右側面図である。
【図６】ハンマーを示す図であり、（ａ）はハンマーの外観を示す斜視図、（ｂ）はハンマー本体と重りを分解した状態を示す斜視図である。
【図７】白鍵ガイド部を説明するための斜視図及び平面図であり、左側の白鍵ガイド部は、鍵ガイド本体が鍵ガイドホルダに取り付けられた状態、右側の白鍵ガイド部は、鍵ガイド本体が鍵ガイドホルダから取り外された状態を示す。
【図８】鍵ガイド本体を示す図であり、（ａ）は正面図、（ｂ）及び（ｃ）は、（ａ）のｂ−ｂ線及びｃ−ｃ線でそれぞれ切断したときの断面図である。
【図９】図７（ｂ）における白鍵ガイド部をIX−IX線で切断したときの断面図である。
【図１０】白鍵と白鍵ガイド部との関係を説明するための図であり、（ａ）は、白鍵の前端部を垂直に裁断し、白鍵の前部を下方から見上げたときの状態を示す斜視図、（ｂ）は、白鍵の上部を水平に裁断し、白鍵と白鍵ガイド部との関係を示す平面図である。
【発明を実施するための形態】
【００２２】
以下、図面を参照しながら、本発明の好ましい実施形態を詳細に説明する。図１及び図２は、本発明の一実施形態による鍵ガイド構造を適用した電子ピアノの鍵盤装置を、離鍵状態において示している。なお、両図では、１オクターブ分のみを示している。
【００２３】
図１及び図２に示すように、この鍵盤装置１は、鍵盤シャーシ２と、この鍵盤シャーシ２に回動自在に取り付けられた白鍵３ａ及び黒鍵３ｂから成り、左右方向に並んだ状態に配置された複数の鍵３と、鍵３ごとに鍵盤シャーシ２に回動自在に取り付けられた複数のハンマー４と、各鍵３の押鍵情報を検出するための鍵スイッチ５などを備えている。
【００２４】
鍵盤シャーシ２は、所定の樹脂材料（例えばＡＢＳ樹脂）を射出成形することなどにより、所定形状の樹脂成形品で構成されている。図３（ａ）に示すように、この鍵盤シャーシ２では、その前部１１、中央部１２及び後部１３がいずれも全体として左右方向に延びるように形成され、これらが左右方向に適宜、間隔を隔てた複数のリブ１４によって連結されている。なお、以下の説明では、鍵盤シャーシ２の前部１１、中央部１２及び後部１３をそれぞれ、「シャーシ前部１１」、「シャーシ中央部１２」及び「シャーシ後部１３」というものとする。
【００２５】
シャーシ前部１１は、白鍵３ａをガイドするものである。このシャーシ前部１１には、白鍵３ａごとに、下方から挿入され、その白鍵３ａの横振れを防止するための複数（図３（ａ）では７つ）の白鍵ガイド部１１ａが立設されている。また、シャーシ前部１１には、各白鍵ガイド部１１ａの左右両側に、上下方向に貫通する係合孔１１ｂ、１１ｂが設けられており、両係合孔１１ｂ、１１ｂに、白鍵３ａの後述する左右２つの上限位置規制部２１ａ、２１ａがそれぞれ貫通した状態で係合する。
【００２６】
シャーシ中央部１２は、黒鍵３ｂをガイドするものである。このシャーシ中央部１２には、前記シャーシ前部１１と同様、黒鍵３ｂごとに、下方から挿入され、その黒鍵３ｂの横振れを防止するための複数（図３（ａ）では５つ）の黒鍵ガイド部１２ａが立設されている。また、シャーシ中央部１２の前方には、ハンマー４を支持するハンマー支持部１５が設けられている。このハンマー支持部１５は、左右方向に延びる一直線上に沿って延びる複数の支軸１５ａを有しており、これらの支軸１５ａに、ハンマー４が回動自在に支持されている。
【００２７】
また、上記のハンマー支持部１５とシャーシ前部１１の間には、前記鍵スイッチ５が取り付けられている。この鍵スイッチ５は、左右方向に延びる横長のプリント基板５ａと、このプリント基板５ａ上に鍵３ごとに取り付けられたゴムスイッチから成る複数のスイッチ本体５ｂとで構成されている。
【００２８】
シャーシ後部１３は、鍵３を、その後端部において上下方向に回動自在に支持するものである。図３（ｂ）に示すように、シャーシ後部１３は、隣接する鍵３、３同士を仕切るよう、互いに左右方向に所定間隔を隔てて、複数の仕切壁１６が設けられている。そして、互いに隣り合う仕切壁１６、１６間には、左右対称に形成され、鍵３を回動自在に支持する所定の鍵支持部１７が設けられている。具体的には、鍵支持部１７は、鍵３の後述する左右の支点軸２４、２４を下方からそれぞれ支持する左右の下側支持部１８、１８（図３（ｂ）では左側のもののみ図示）と、鍵３の後端部において、その上面から背面に亘る部位を上方から支持する左右一対の上側支持部１９、１９とを備えている。
【００２９】
鍵３は、所定の樹脂材料（例えばＡＳ樹脂）を射出成形することなどにより、前後方向に所定長さ延びるとともに、下方に開放する中空状に形成されている。図３（ａ）及び図４に示すように、白鍵３ａの前端部には、左右の側壁から下方に延びかつその下端部が前方に屈曲するように形成された左右一対の上限位置規制部２１（２１ａ）が設けられており、前記シャーシ前部１１の左右の係合孔１１ｂ、１１ｂにそれぞれ貫通した状態で係合している。また、白鍵３ａは、上限位置規制部２１ａよりも後方の所定位置に、下方に突出するアクチュエータ部２２（２２ａ）が、ハンマー４の後述する係合凹部３４に収容された状態で、これに係合している。一方、黒鍵３ｂは、その前端部に、白鍵３ａの上限位置規制部２１ａ及びアクチュエータ部２２ａと同様の機能を有する上限位置規制部２１（２１ｂ）及びアクチュエータ部２２（２２ｂ）を有している。
【００３０】
また、図４及び図５に示すように、鍵３の後部は、それよりも前側部分に対して横幅が狭く形成され、前後方向に延びる後部本体２３を有している。この後部本体２３の左右の側面にはそれぞれ、後端寄りの所定位置に、外方（左方及び右方）に突出する支点軸２４、２４が設けられている。各支点軸２４は、下半部に円弧面を有しかつ側面形状が半円状に形成された半円部２４ａと、この半円部２４ａの前後方向の中央から上方に突出するように形成された凸部２４ｂとを有している。なお、各支点軸２４の半円部２４ａには、その周面に溝２４ｃが形成されており、半円部２４ａの周面にグリスなどの潤滑剤が塗布されたときに、そのグリスを長期にわたって保持できるようになっている。
【００３１】
また、後部本体２３の後端部には、その上面から背面に亘り、所定の曲率を有する曲面２５が形成されている。この曲面２５は、その側面形状が、鍵３の支点軸２４を中心とする同心円に沿って凸状に湾曲するように形成されている。さらに、後部本体２３の後端部には、上記曲面２５に連なり、下方に向かって左右方向の横幅が次第に小さくなるテーパ部２６が設けられている。なお、上記の曲面２５には、支点軸２４の溝２４ｃと同様の機能を有する溝２５ａが形成されている。
【００３２】
図６に示すように、ハンマー４は、ハンマー本体３１と、このハンマー本体３１に取り付けられた２つの重り３２、３２とで構成されている。ハンマー本体３１は、所定の樹脂材料（例えばＰＯＭ（ポリアセタール））を射出成形することなどにより、所定形状の樹脂成形品で構成されている。このハンマー本体３１は、前後方向に所定長さ延びていて、前後方向の中央よりも前寄りの所定位置に、側面形状が下方に開放するＵ字状の軸受部３３を有しており、この軸受部３３が、鍵盤シャーシ２におけるハンマー支持部１５の支軸１５ａに回動自在に係合している。また、ハンマー本体３１の前半部には、軸受部３３の前方に、鍵３のアクチュエータ部２２に係合する係合凹部３４が設けられている。この係合凹部３４は、上方及び前方に開放しており、鍵３のアクチュエータ部２２の下端が係合凹部３４内の底面に当接した状態で、アクチュエータ部２２の下部を収容している。さらに、ハンマー本体３１の前半部には、係合凹部３４の下方に、鍵スイッチ５のスイッチ本体５ｂを押圧するための複数のスイッチ押圧部３５が設けられている。
【００３３】
ハンマー本体３１の後半部である重り取付部３６には、左右両側面の所定位置に、外方に突出する前後２つの係合凸部３７、３７が設けられるとともに、後ろ側の係合凸部３７の付近に、左右方向に貫通する取付孔３８が形成されている。なお、重り取付部３６の中央に設けられた切欠き３６ａは、離鍵状態の鍵盤装置１において、これを電子ピアノの棚板１０（図２参照）上に固定するためのねじなどが、ハンマー４に当たるのを回避するためのものである。
【００３４】
重り３２は、ハンマー本体３１よりも比重の大きな材料（例えば鉄などの金属）から成り、細長い板状の２枚の重りで構成されている。各重り３２は、所定の厚さ及び横幅を有する長尺の金属板をプレス加工することなどによって、所定形状に形成されている。具体的には、各重り３２には、ハンマー本体３１の２つの係合凸部３７、３７、取付孔３８及び切欠き３６ａにそれぞれ対応する前後２つの係合孔４１、４１、取付孔４２及び凹部４３が形成されている。また、両重り３２、３２は、ハンマー本体３１の重り取付部３６を両側から挟んだ状態で、それらの取付孔４２、４２及び３８に挿入されたリベット４４をかしめることによって、ハンマー本体３１に固定されている。
【００３５】
また、各ハンマー４の２つの重りの一方（以下「共通重り３２Ａ」という）は、所定長さを有し、全てのハンマー４において共通のものである。また、他方の重り（以下「調整重り３２Ｂ」という）は、共通重り３２Ａと同じ長さ、あるいはそれよりも短く形成されている。したがって、調整重り３２Ｂの長さを調整することにより、両重り３２Ａ、３２Ｂによるハンマー４の重さを変えることができるようになっている。
【００３６】
以上のように構成された鍵盤装置１では、図１及び図２に示す離鍵状態において、鍵３を押鍵すると、その鍵３が、後端部の左右の支点軸２４、２４を中心として下方に回動する。これに伴い、鍵３のアクチュエータ部２２が、ハンマー４の係合凹部３４を下方に押圧する。それにより、ハンマー４は、ハンマー支持部１５の支軸１５ａを中心として、図２（ｂ）の反時計方向に回動しながら、スイッチ押圧部３５で鍵スイッチ５の対応するスイッチ本体５ｂを上方から押圧する。なおこの場合、ハンマー４は、その後端部（共通重り３２Ａの後端部）がシャーシ後部１３のハンマーストッパ１３ａに下方から当接することによって、それ以上の回動が阻止される。以上の押鍵動作により、ハンマー４の重量及びトルクに応じた所定のタッチ重さが、鍵３に付与されるとともに、鍵３の押鍵情報が鍵スイッチ５を介して検出される。
【００３７】
一方、押鍵した鍵３を離鍵すると、ハンマー４が上記と逆方向に回動し、それに伴い、鍵３が、アクチュエータ部２２を介して押し上げられることにより、上方に回動する。その結果、鍵３及びハンマー４は、図１及び図２に示すように、もとの離鍵状態に復帰する。なお、この場合、鍵３は、その前端部の上限位置規制部２１が鍵盤シャーシ２の所定のストッパ２０に下方から当接することによって、それ以上の回動が阻止される。
【００３８】
次に、本発明に係る鍵ガイド構造について、図３及び図７〜１０を参照しながら、シャーシ前部１１の白鍵ガイド部１１ａ、及びこれによって案内される白鍵３ａの構成をさらに詳細に説明する。
【００３９】
図７は、シャーシ前部１１における２つの白鍵ガイド部１１ａを示しており、一方（同図（ａ）及び（ｂ）の左側）の白鍵ガイド部１１ａは、後述する鍵ガイド本体５２が取り付けられた状態、他方（同図（ａ）及び（ｂ）の右側）の白鍵ガイド部１１ａは、鍵ガイド本体５２を取り外した状態を示している。同図に示すように、各白鍵ガイド部１１ａは、シャーシ前部１１の水平な平坦部１１ｃに立設された鍵ガイドホルダ５１と、この鍵ガイドホルダ５１に取り付けられた鍵ガイド本体５２とで構成されている。
【００４０】
鍵ガイドホルダ５１は、鍵盤シャーシ２と一体に構成されており、上下方向に所定長さ延びる円筒状のホルダ部５３（ホルダ本体）と、このホルダ部５３の前後にそれぞれ連なった状態で平坦部１１ｃに立設された補強部５４、５５とを有している。ホルダ部５３には、上方に開放しかつ左右方向に貫通した状態に形成され、上下方向に延びるスリット状の取付部５３ａが設けられており、この取付部５３に鍵ガイド本体５２が取り付けられている。また、前後の補強部５４、５５はいずれも、平面形状がホルダ部５３側に開放するコ字状に形成されている。なお、後ろ側の補強部５５には、その下半部の左右の側面に連なった状態で、平坦部１１ｃに立設された補助補強部５５ａ、５５ａが設けられている。
【００４１】
一方、鍵ガイド本体５２は、軟質の合成樹脂（例えばエラストマー）から成り、縦長の板状に形成されている。より具体的には、図８に示すように、鍵ガイド本体５２は、正面形状が縦長矩形状に形成され、上側及び左右両側の縁部が所定の厚さを有しており、それらの縁部が、それ以外の部分よりも厚く形成されている。また、鍵ガイド本体５２の上記縁部には、周方向に沿って延びる溝５２ａが形成されている。鍵ガイド本体５２の上記縁部にグリスなどの潤滑剤が塗布されたときには、その溝５２ａに潤滑剤の一部が入り込み、保留される。それにより、鍵ガイド本体５２の左右の側面に潤滑剤が保持された状態を、長期間にわたって維持することができ、押鍵時における鍵３の後述する左右のガイド壁６１、６１と鍵ガイド本体５２の左右の側面との間の潤滑性を確保することができる。
【００４２】
また、鍵ガイド本体５２には、前面側の中央に、上下方向に延び、鍵ガイドホルダ５１のホルダ部５３内に挿入される挿入部５６が設けられている。この挿入部５６は、図８（ａ）及び（ｂ）に示すように、前後方向に比較的厚く形成されるとともに、下方に向かって左右方向の横幅が次第に小さくなるように形成されている。また、挿入部５６の下端部には、前方に突出する係止凸部５７（抜止め部）が形成されている。この係止凸部５７は、ほぼ水平な係止面５７ａと、その下側において前上がりに傾斜した傾斜面５７ｂとを有している。
【００４３】
以上のように構成された鍵ガイドホルダ５１及び鍵ガイド本体５２では、鍵ガイド本体５２の中央の挿入部５６が、鍵ガイドホルダ５１のホルダ部５３に対し、その取付部５３ａに上方から挿入された状態で、鍵ガイド本体５２が鍵ガイドホルダ５１に取り付けられている。この場合、図７に示すように、鍵ガイド本体５２は、その上側及び左右の縁部が鍵ガイドホルダ５１のホルダ部５３よりも外方に突出した状態で取り付けられる。加えて、図９に示すように、鍵ガイド本体５２の係止凸部５７が、鍵ガイドホルダ５１のホルダ部５３よりも下側に位置し、係止凸部５７の係止面５７ａがホルダ部５３の下端に係止される。これにより、鍵ガイド本体５２は、鍵ガイドホルダ５１に抜け止め状態でしっかりと取り付けられる。
【００４４】
図１０は、白鍵３ａの前部を示しており、（ａ）はその内部構造、（ｂ）は白鍵ガイド部１１ａとの関係を示している。同図に示すように、白鍵３ａの前部には、互いに左右方向に所定間隔を隔てた左右のガイド壁６１、６１が設けられている。各ガイド壁６１は、上下方向に所定長さ延びるとともに、白鍵３ａの天壁６０ａから垂下し、白鍵３ａの対応する側壁６０ｂから内方に所定長さ突出するスペーサ６２を介して、白鍵３ａと一体に構成されている。そして、左右のガイド壁６１、６１間の長さは、上述した鍵ガイド本体５２の左右方向の横幅寸法とほぼ同じに設定されており、これらの両ガイド壁６１、６１によって、下方に開放するとともに鍵ガイド本体５２の左右の側面が摺接する、本発明のガイド凹部が構成されている。
【００４５】
このように構成された左右のガイド壁６１、６１を有する白鍵３ａを押鍵すると、後端部の支点軸２４を中心として回動する白鍵３ａは、両ガイド壁６１、６１が白鍵ガイド部１１ａの鍵ガイド本体５２の左右の側面に対して摺動しながら、横振れすることなく円滑に案内される。
【００４６】
なお、詳細な説明は省略するが、黒鍵３ｂをガイドする黒鍵ガイド部１２ａは、白鍵ガイド部１１ａの鍵ガイド本体５２と同一の鍵ガイド本体を有しており、また、その鍵ガイド本体は、黒鍵３ｂの左右の側壁に直接、摺接するようになっている。
【００４７】
以上詳述したように、本実施形態によれば、回動する鍵３を案内する鍵ガイド本体５２が、軟質の合成樹脂で構成されているので、鍵３のガイド壁６１などが鍵ガイド本体５２に擦れても、その際の摺動音を大幅に低減でき、それにより、雑音を発生させることなく、鍵３を安定して案内することができる。また、鍵ガイド本体５２は、板状に形成されているので、ガイド部材が筒状に形成された従来に比べて、材料としての合成樹脂の使用量を少なくでき、それにより、製造コストの低減を図ることができる。
【００４８】
また、白鍵３ｂでは、その左右の側壁６０ｂ、６０ｂから内方に離れた左右のガイド壁６１、６１と、白鍵ガイド部１１ａの鍵ガイド本体５２が摺接するので、その鍵ガイド本体５２の左右の側面に潤滑剤が比較的多く塗布されている場合でも、その潤滑剤が白鍵３ｂ（側壁６０ｂ）の外側にはみ出すのを確実に防止することができる。
【００４９】
さらに、鍵ガイドホルダ５１では、鍵ガイド本体５２が取り付けられたホルダ部５３の前後に補強部５４、５５が設けられているので、これらの補強部５４、５５によって、ホルダ部５３を前後左右の荷重に対してしっかりと補強することができ、その結果、ホルダ部５３に取り付けられた鍵ガイド本体５２を、しっかりと保持することができる。
【００５０】
なお、本発明は、説明した上記実施形態に限定されることなく、種々の態様で実施することができる。例えば、実施形態では、鍵ガイドホルダ５１において、鍵ガイド本体５２が取り付けられるホルダ部５３を円筒状に形成するとともに、その前後に角筒状の補強部５４、５５を設けたが、ホルダ部５３を円筒状以外の筒状（例えば角筒状）に形成することも可能であり、また、２つの補強部５４、５５について、一方の補強部を省略したり、補強部の形状を他の形状（例えば円筒状や板状）にしたりすることも可能である。
【００５１】
また、実施形態で示した本発明の鍵ガイド構造を構成する鍵ガイドホルダ５１、鍵ガイド本体５２及び鍵３の細部の構成や、それらを構成する材料などは、あくまで例示であり、本発明の趣旨の範囲内で適宜、変更することができる。
【符号の説明】
【００５２】
１    鍵盤装置
２    鍵盤シャーシ
３    鍵
３ａ  白鍵
３ｂ  黒鍵
１１ａ  白鍵ガイド部
１２ａ  黒鍵ガイド部
５１    鍵ガイドホルダ
５２    鍵ガイド本体
５２ａ  溝
５３    ホルダ部（ホルダ本体）
５３ａ  取付部
５４    補強部
５５    補強部
５７    係止凸部（抜止め部）
６０ａ  白鍵の天壁
６０ｂ  白鍵の左右の側壁
６１    ガイド壁
【図１】
2015081930.tif 000003
【図２】
2015081930.tif 000004
【図３】
2015081930.tif 000005
【図４】
2015081930.tif 000006
【図５】
2015081930.tif 000007
【図６】
2015081930.tif 000008
【図７】
2015081930.tif 000009
【図８】
2015081930.tif 000010
【図９】
2015081930.tif 000011
【図１０】
2015081930.tif 000012